(57)【特許請求の範囲】
【請求項１】
什器本体と、この什器本体に片持ち支持された板状をなす左右の棚受ブラケットと、これらの棚受ブラケットに左右の側壁を重なり合うように近接又は摺接させて当該棚受ブラケット間に架設された棚板と、この棚板の沈み込みを抑止しつつ前後方向にスライド可能に支持する第一のスライド案内機構と、前記棚板の浮き上がりを抑止しつつ前後方向にスライド可能に支持する第二のスライド案内機構とを備えたものであり、
前記第一のスライド案内機構が、前記棚受ブラケット及び前記側壁の何れか一方に設けられた第一のスライダと他方に設けられ前記第一のスライダをスライド可能に案内する第一の案内縁部とを備えたものであり、
前記第二のスライド案内機構が、前記棚受ブラケット及び前記側壁の何れか一方に設けられた第二のスライダと他方に設けられ前記第二のスライダをスライド可能に案内する第二の案内縁部とを備えたものであり、前記第一の案内縁部が、前記棚受ブラケットの前半領域における上縁側に設けられ、前記第二の案内縁部が、前記棚受ブラケットの後半領域における下縁側に設けられたものである什器。
【請求項２】
什器本体と、この什器本体に片持ち支持された板状をなす左右の棚受ブラケットと、これらの棚受ブラケットに左右の側壁を重なり合うように近接又は摺接させて当該棚受ブラケット間に架設された棚板と、この棚板の沈み込みを抑止しつつ前後方向にスライド可能に支持する第一のスライド案内機構と、前記棚板の浮き上がりを抑止しつつ前後方向にスライド可能に支持する第二のスライド案内機構とを備えたものであり、
前記第一のスライド案内機構が、前記棚受ブラケット及び前記側壁の何れか一方に設けられた第一のスライダと他方に設けられ前記第一のスライダをスライド可能に案内する第一の案内縁部とを備えたものであり、
前記第二のスライド案内機構が、前記棚受ブラケット及び前記側壁の何れか一方に設けられた第二のスライダと他方に設けられ前記第二のスライダをスライド可能に案内する第二の案内縁部とを備えたものであり、前記第一のスライダ及び前記第二のスライダが、前記第一の案内縁部及び前記第二の案内縁部に対し外嵌する凹溝を備えたものであり、この凹溝の底面を前記第一の案内縁部及び第二の案内縁部の端面に摺接させるように構成されている什器。
【発明の詳細な説明】
【技術分野】
【０００１】
本発明は、店舗等に好適に用いられる什器に関するものである。
【背景技術】
【０００２】
従来、この種の什器として、少なくとも２本の支柱を有する什器本体と、この什器本体の支柱にそれぞれ片持ち支持させた左右対をなす棚受ブラケットと、これらの棚受ブラケット間に固定状態で架設した棚板とを備えたものが知られている。そしてこの種の什器では、前記棚板を複数枚上下方向に所要の間隔を空けて配置するのが一般的であり、それら各棚板上に商品等を陳列して使用されている。
【０００３】
ところがこのような什器では通常、売り場の面積効率をアップさせるべく各棚板を上下方向に配するピッチをなるべく小さく設定したいところ、そのようにすれば上方の他の棚板が近接してしまい奥に載置した商品付近にアクセスするのが難しく、新たな商品の補充等に難点があった。
【０００４】
このような不具合を解消するための棚板を前方に引き出すことができるようにしたものも開発されている（例えば、特許文献１参照）。
【０００５】
この什器の棚板は、左右の棚受ブラケット間に固定状態で架設されたベースと、このベース上に配され前方に引出し可能なスライド棚部とを備えたものであり、前記ベースの左右両端部と前記スライド棚部の左右両端部との間にはスライドレール式のスライド案内機構が設けられている。
【０００６】
ところで、前記スライド案内機構は、前記ベースの端部に設けたコ字形をなすベース側レール部と、前記スライド棚部の端部に設けられ前記ベース側レール部内に配された棚部側レール部と、この棚部側レール部を前後移動可能に支持すべく前記ベース側レール部に軸着された第一のローラと、前記ベース側レール部内に転動可能に設けられ前記スライド棚部に軸着された第二のローラとを備えたものである。
【０００７】
そのため、斯かるスライド案内機構は、構造が複雑で部品点数が多いため、部品の製造や組立に多くの工数を要するという問題がある。また、前記ローラの軸着部分等に不具合が発生する可能性があり、メンテナンスが不可欠である。
【先行技術文献】
【特許文献】
【０００８】
【特許文献１】特開２０１１−２４５２２２号公報
【発明の概要】
【発明が解決しようとする課題】
【０００９】
本発明は、このような不具合に着目したものであり、棚板を前方に引き出して便利に使用することができるにもかかわらず、構造が簡単で部品の製造及び組立に多大な構成を要することがなく、頻繁にメンテナンスを行わずに長期に亘って用いることができる什器を提供することを目的としている。
【課題を解決するための手段】
【００１０】
本発明は、このような目的を達成するために、次のような手段を講じたものである。
【００１１】
すなわち本発明に係る什器は、什器本体と、この什器本体に片持ち支持された板状をなす左右の棚受ブラケットと、これらの棚受ブラケットに左右の側壁を重なり合うように近接又は摺接させて当該棚受ブラケット間に架設された棚板と、この棚板の沈み込みを抑止しつつ前後方向にスライド可能に支持する第一のスライド案内機構と、前記棚板の浮き上がりを抑止しつつ前後方向にスライド可能に支持する第二のスライド案内機構とを備えたものであり、前記第一のスライド案内機構が、前記棚受ブラケット及び前記側壁の何れか一方に設けられた第一のスライダと他方に設けられ前記第一のスライダをスライド可能に案内する第一の案内縁部とを備えたものであり、前記第二のスライド案内機構が、前記棚受ブラケット及び前記側壁の何れか一方に設けられた第二のスライダと他方に設けられ前記第二のスライダをスライド可能に案内する第二の案内縁部とを備えたものであることを特徴とする。
【００１２】
このようなものであれば、棚板を棚受ブラケットに対し前後スライドさせる機構を、案内レールとローラとを用いたものに比べて構成の簡略化を図ることができ、製造及び組立の工数を削減することができるとともに、耐久性を向上させることができ、メンテナンスの手間を削減又は無くすことが可能になる。
【００１３】
棚板の載置面の面積をより大きくするためには、棚板を、左右の側壁を左右の棚受ブラケットの外側面に近接又は摺接させるようにすることが望ましい。
【００１４】
棚板の動作時の安全性を有効に向上させ得る構成として、第一のスライダ及び第二のスライダが、棚板の側壁に設けられたものであり、第一の案内縁部及び第二の案内縁部が棚受ブラケットに設けられたものを挙げることができる。すなわち斯かる構成により、スライダと縁部との接触部分を隠蔽することができるので安全性を高めることができる。
【００１５】
また、第一の案内縁部が、棚受ブラケットの前半領域における上縁側に設けられ、第二の案内縁部が、棚受ブラケットの後半領域における下縁側に設けられたものであれば、棚板及び棚受ブラケットを一体的に取り扱うときに案内縁部に触れてしまうことを回避することができ、安全性を高めることができる。
【００１６】
第一、第二のスライド案内機構により左右のがたつきが無い安定した前後スライドを実現するためには、第一のスライダ及び第二のスライダを、第一の案内縁部及び第二の案内縁部に対し外嵌する凹溝を備えたものとし、この凹溝の底面を第一の案内縁部及び第二の案内縁部の端面に摺接させるように構成することが望ましい。
【００１７】
また、棚板を前方に引き出した状態を安定して維持するためには、少なくとも一方の案内縁部に、棚板が前側の動作端に位置した状態でスライダを位置決めする位置決め部分を設けることが望ましい。
【００１８】
棚板を前方に引き出した状態でより多くの物を陳列し得るようにするためには、前側の動作端にある棚板の載置面の後方に位置する補助載置面を有した補助棚板を設けることが好ましい。
【発明の効果】
【００１９】
本発明によれば、棚板を前方に引き出して便利に使用することができるにもかかわらず、構造が簡単で部品の製造及び組立に多大な構成を要することがなく、頻繁にメンテナンスを行わずに長期に亘って用いることができる什器を提供することができる。
【図面の簡単な説明】
【００２０】
【図１】本発明の一実施形態に係る斜視図。
【図２】同分解斜視図。
【図３】同実施形態に係る棚板における要部の斜視図。
【図４】同棚板の正面図。
【図５】同棚板の底面図。
【図６】同実施形態に係るブラケットの正面図。
【図７】同ブラケットの側面図。
【図８】同実施形態に係る補助棚板の正面図。
【図９】同補助棚板の平面図。
【図１０】同補助棚板の側面図。
【図１１】同実施形態に係る動作説明図。
【図１２】同上。
【図１３】同上。
【図１４】同上。
【図１５】同上。
【発明を実施するための形態】
【００２１】
以下、本発明の一実施の形態について図面を参照して説明する。
【００２２】
本実施形態に係る什器は、図１に示すように、例えば店舗において商品を陳列するために好適に用いられるものである。
【００２３】
＜構成説明＞
この什器は、床面に載置される図示しないベース、このベースの巾方向両端且つ前後方向中央から立設される対をなす支柱６０、及びこの対をなす支柱６０に架設された図示しない横架材を有する什器本体６と、対をなす支柱６０に片持ち支持された板状をなす左右の棚受ブラケットたるブラケット４と、これらのブラケット４間に架設された棚板３とを有する。また本実施形態では、左右のブラケット４間に棚板３とは別に支柱６０付近に補助棚板５を架設することが可能である。そして本実施形態に係る什器は、棚板３をブラケット４に対し前後にスライド可能に構成されている。すなわち図１に示すように、支柱６０に対し上側に図示された棚板３はスライド動作における前端位置（Ｆ）にある状態が示されており、下側に図示された棚板３はスライド動作における後端位置（Ｂ）にある状態が示されている。
【００２４】
什器本体６を構成する支柱６０は、図１に示すように、例えば金属製の矩形パイプ部材である支柱本体６１を主体としたものである。この支柱本体６１には上端から下端近傍まで、所定の間隔をなしてフック孔６２が設けられている。このフック孔６２は棚板３を掛け止めるために所定の形状及び寸法、配置をなすことにより、棚板３を所望の高さ位置に着脱可能に取り付けることができる。当該フック孔６２の具体的な形状、構成については既存の構成を種々利用し得るものであるため、具体的な説明を省略する。
【００２５】
しかして本実施形態に係る什器は、棚板３の前縁３ｃ側の沈み込みを抑止しつつ前後方向にスライド可能に支持する第一のスライド案内機構１と、棚板３の後縁３ｄ側の浮き上がりを抑止しつつ前後方向にスライド可能に支持する第二のスライド案内機構２とを備えたものである。第一のスライド案内機構１は、側壁３２に設けられた第一のスライダ１１とブラケット４に設けられ第一のスライダ１１をスライド可能に案内する第一の案内縁部１２とを備えたものであり、第二のスライド案内機構２が、側壁３２に設けられた第二のスライダ２１とブラケット４に設けられ第二のスライダ２１をスライド可能に案内する第二の案内縁部２２とを備えたものである。
【００２６】
以下、斯かる什器の構成のうち、特に棚板３、ブラケット４、補助棚板５、第一のスライド案内機構１及び第二のスライド案内機構２の構成について、図１〜図１５を参照しつつ具体的に説明する。なお図５及び図１０において図中＊で標記され符号ｗが付されている部分には、スポット溶接による溶接継ぎ手ｗが形成される。すなわち図５及び図１０では溶接継ぎ手ｗの箇所が模式的に示されている。
【００２７】
棚板３は、図１〜図６に示すように、複数の板金素材を折り曲げ且つ互いに溶接により固定してなる。この棚板３は、商品を載置するための載置面３ａを構成する棚板本体３１と、この棚板本体３１の両側に固定された側壁３２と、棚板３の前縁３ｃを構成する前壁３３と、棚板本体３１の下側から例えばスポット溶接により固定された補強板３４とを有している。
【００２８】
棚板本体３１は、上側において載置面３ａを構成するとともに後端側を下方及び前方に折り曲げることにより、後縁３ｄを形成している。また後縁３ｄが下方に折り曲げる寸法は、補助棚板５に干渉しないように前壁３３の上下寸法よりも小さい寸法に設定されている。
【００２９】
前壁３３は、本実施形態では棚板本体３１の前側を下方及び後方に折り曲げることにより棚板本体３１と一体に形成されているが、勿論棚板本体３１とは別体の板金素材或いは別異の素材によって構成しても良い。この前壁３３は棚板３の前縁３ｃを主に構成しており、この前壁３３の上下寸法が補強板３４の上下寸法よりも大きく設定されることで、棚板３を前方から目視しても補強板３４が好適に隠蔽される。
【００３０】
補強板３４は、棚板３の載置面３ａの撓みを防止しつつ棚板３全体としての強度を向上させるためのものである。補強板３４は、棚板本体３１の幅方向略全域に相当する巾寸法を有し、棚板３の前縁３ｃ付近及び前後中央よりもやや後側でそれぞれ棚板本体３１に固定されている。しかし勿論、当該構成は補強板３４を固定する前後位置を限定するものでは無く例えば前後中央に配する構成を妨げない。はまた補強板３４は前後にフランジが形成された側面視概略チャネル形状をなし、図５に溶接継ぎ手ｗを示すように、前後のフランジ部分における複数箇所が棚板本体３１に対しスポット溶接により固定されている。
【００３１】
側壁３２は、正面視逆さＬ字状をなす板金素材に樹脂素材である第一のスライダ１１、第二のスライダ２１をリベットにより固定したものである。しかしながら第一のスライダ１１、第二のスライダ２１を固定する態様は他にビスによる固定など、既存の種々の手法を適用し得る。この側壁３２は、棚板本体３１の両側端の下方から平面部分をスポット溶接により固定することで、棚板本体３１に固定される。そして棚板本体３１の両端から垂下する立壁部分が左右のブラケット４の外側面４ａに近接又は摺接することで、ブラケット４に対し好適に支持され得る。そして本実施形態では、この側壁３２の立壁部分の端面及びその近傍、そして当該立壁部分に固定された第一のスライダ１１及び第二のスライダ２１が、ブラケット４に対する前後スライド動作を好適に行わせる構成をなすが、当該構成については後に詳述する。
【００３２】
ブラケット４は、図１〜３、図７及び図８に示すように、後半領域４ｃが補助棚板５を好適に支持し得るとともに、前半領域４ｂは棚板３の着脱を容易にし得る形状に設定されている。そしてこのブラケット４は、本実施形態では例えば平板状の板金材を主体としたブラケット本体４１と、後端側にて支柱６０に設けられた上下三つのフック孔６２に掛け得るフック４２と、先端上側にて棚板３を前後スライド可能に支持する樹脂素材からなる補助スライダ４３と、この補助スライダ４３の下方である前半領域４ｂ下側にて棚板３のスムーズな装着を促すために形成した装着案内縁部４８とを有している。
【００３３】
ブラケット本体４１は、図２、図７及び図８に示すように、後半領域４ｃの上端側二箇所を凹ませて形成された補助棚板５を支持するための爪受４４と、棚板３のスライド動作における後端位置（Ｂ）で棚板３側に当接し、更なる後方へのスライドを禁止するための上側後当接面４５ａ並びに下側後当接面４５ｂと、棚板３が前端位置（Ｆ）をとったときに棚板３側に当接する前当接面４７とを有している。そして本実施形態では、当該ブラケット本体４１が形成するブラケット４の前半領域４ｂ及び後半領域４ｃの構成並びに形状により、棚板３の前後スライドを好適に行わせる構成をなすが、当該構成については後に詳述する。
【００３４】
フック４２は、本実施形態ではブラケット４の後端に等間隔に例えば三つ、同一の下向き形状のものを適用している。斯かるフック４２の形状により、対をなすブラケット４が棚板３を支持し、棚板３とブラケット４が一体的に取り扱われても、棚板３の載置面３ａを水平とし、当該フック４２を支柱６０のフック孔６２へ真っ直ぐ方向に差し込みそのまま下方へ下げれば、ブラケットは容易に支柱６０へ装着される。しかしながら当該フック４２の数は二つの場合や四、五つある態様であっても良く、さらにフック４２の形状は斯かる形状に限定されるものではない。例えば、最も上に位置するフック４２の形状のみ上向き形状とする態様を妨げない。斯かる場合には支柱６０への装着の際、ブラケット４を一時的に傾けるように取り付ければ上記同様、容易な取り付けが可能である。
【００３５】
補助スライダ４３は、ブラケット本体４１の前端上側に固定された正面視概略コの字形状をなす樹脂の一体成形品である。具体的にはブラケット本体４１の前端部分には図７にて破線で図示されるような側面視形状矩形状をなす開口が設けられ、当該開口に補助スライダ４３に設けられた図示しない爪部分を嵌合させることにより、ブラケット本体４１に対し容易且つ確実に固定されている。しかし当該補助スライダ４３の取付態様は既存の種々の構成を適宜適用し得る。この補助スライダ４３は、棚板３の下向面３ｂに接して棚板３のスライド動作及び着脱動作をスムーズに行わせるための滑り面４６を有している。
【００３６】
装着案内縁部４８は、補助スライダ４３が固定されたブラケット本体４１の前端部分から前半領域４ｂの下縁側に亘って、ブラケット本体４１の縁にアール形状をなすアール端面４９を有する。これにより、棚板３側に設けられた第二のスライダ２１の動作を円滑に行わせることができる。このアール端面４９の形状は、ブラケット４の前端に近い程曲率が大きく、換言すれば曲率半径が小さく成形されている。
【００３７】
補助棚板５は、主に補助載置面５ａを構成する補助板本体５１と、ブラケット４側に設けられたブラケット本体４１の爪受４４に係り合う四つの掛爪５２と、補助板本体５１の下面側から溶接に取り付けられる補助補強板５４とを有している。この補助棚板５は、図１に示すように、前側の動作端たる前端位置（Ｆ）にある棚板３の載置面３ａの後方に補助載置面５ａが位置付けられるようにブラケット４に装着される。また補助棚板５は、補助板本体５１よりも掛爪５２の上縁が上側となるように成形されることで、補助載置面５ａが前後スライドする棚板３側に何ら干渉しないように設定してある。そして補助補強板５４は、上述した補強板３４同様、補助棚板５の補助載置面５ａの撓みを防止しつつ補助棚板５全体としての強度を向上させるためのものである。補助補強板５４は、補助板本体５１の幅方向略全域に相当する巾寸法を有し、補助板本体５１の前後中央で補助板本体５１に固定されている。この補助補強板５４は前後にフランジが形成された概略チャネル形状をなし、図１０に示すように前後のフランジ部分における複数箇所が補助板本体５１に対しスポット溶接により固定されている。
【００３８】
しかして本実施形態に係る什器は上述の通り、棚板３とブラケット４との間に第一のスライド案内機構１並びに第二のスライド案内機構２を設けている。
【００３９】
第一のスライド案内機構１は、棚板３の側壁３２に設けられた第一のスライダ１１とブラケット４に設けられ第一のスライダ１１をスライド可能に案内する第一の案内縁部１２とを備えたものである。
【００４０】
第一のスライダ１１は、図３〜図６に示すように、棚板３の側壁３２に設けられた、摩擦係数が小さい合成樹脂を一体成形したものである。しかし当該第一のスライダ１１に用いる素材は当該合成樹脂に限られず、例えば表面にコーティングを施した金属素材としても良い。この第一のスライダ１１は、左右の側壁３２の内側にそれぞれ対向する位置であり且つ側面視側壁３２の外縁よりもはみ出さない位置に設けられているため、棚板３の側面視で側壁３２に完全に隠蔽されている。そして第一のスライダ１１は第一の案内縁部１２を構成するブラケット本体４１の端面に対し外嵌する下向きに開放された形状をなす凹溝１１ａを備えている。この凹溝１１ａは、ブラケット本体４１の端面に摺接する底面１３と、端面近傍の両側面に当たる内側面１４とを有している。また本実施形態ではこの第一のスライダ１１は、ブラケット本体４１の端面を凹溝１１ａ内へ案内するための挿入案内面１１ｂと、前端位置（Ｆ）にあるときにブラケット本体４１の前当接面４７に当接する前当たり面１１ｃと、後端位置（Ｂ）にあるときにブラケット本体４１の上側後当接面４５ａに当接する後当たり面１１ｄとを有している。
【００４１】
第一の案内縁部１２は、ブラケット４の前半領域４ｂにおける上縁側に設けられている。この第一の案内縁部１２は、凹溝１１ａの底面１３に当接する受圧端面１５と、この受圧端面１５近傍両側に位置し凹溝１１ａの内側面１４に当たり得る側面１６とを有している。また本実施形態では、第一の案内縁部１２は、受圧端面１５の前後端を僅かに凹ませて形成した、前位置決め部分１７及び後位置決め部分１８を有している。当該前位置決め部分１７はその後ろ側に僅かに後方へ傾斜した案内傾斜面１７ａを有し、後位置決め部分１８はその前側に僅かに前方へ傾斜した案内傾斜面１８ａを有している。これにより棚板３を前端位置（Ｆ）及び後端位置（Ｂ）からスライドさせる為に必要な操作力は、中間位置をスライドさせる為に必要な操作力よりも若干ではあるが大きな操作力を要する。換言すれば、前位置決め部分１７及び後位置決め部分１８が設けられることにより、棚板３は前端位置（Ｆ）、後端位置（Ｂ）でそれぞれ好適に位置決めされる。
【００４２】
第二のスライド案内機構２が、側壁３２に設けられた第二のスライダ２１とブラケット４に設けられ第二のスライダ２１をスライド可能に案内する第二の案内縁部２２とを備えたものである。
【００４３】
第二のスライダ２１は、図３〜図６に示すように、棚板３の側壁３２に設けられた、摩擦係数が小さい合成樹脂を一体成形した、上記第一のスライダ１１と同形状をなすものである。よって当然第二のスライダ２１に用いる素材は当該合成樹脂に限られず、例えば表面にコーティングを施した金属素材としても良い。この第二のスライダ２１は、左右の側壁３２の内側にそれぞれ対向する位置であり且つ側面視側壁３２の外縁よりもはみ出さない位置に設けられているため、棚板３の側面視で側壁３２に完全に隠蔽されている。そして第二のスライダ２１は第二の案内縁部２２を構成するブラケット本体４１の端面に対し外嵌する上向きに開放された形状をなす凹溝２１ａを備えている。この凹溝２１ａは、ブラケット本体４１の端面に摺接する底面２３と、端面近傍の両側面２６に当たる内側面２４とを有している。また本実施形態ではこの第二のスライダ２１は、ブラケット本体４１の端面を凹溝２１ａ内へ案内するための挿入案内面２１ｂと、後端位置（Ｂ）にあるときにブラケット本体４１の下側後当接面４５ｂに当接する後当たり面２１ｄとを有している。
【００４４】
第二の案内縁部２２は、ブラケット４の後半領域４ｃにおける下縁側に設けられている。この第二の案内縁部２２は、凹溝２１ａの底面２３に当接する受圧端面２５と、この受圧端面２５近傍両側に位置し凹溝２１ａの内側面２４に当たり得る側面２６とを有している。
【００４５】
＜動作説明＞
そして本実施形態では、上述した構成により、支柱６０に取り付けられた対をなすブラケット４に対する棚板３の着脱を容易に行なうことができる。さらにブラケット４に取り付けられた棚板３は、補助棚板５に干渉されることなくスムーズな前後スライドが可能である。以下、ブラケット４に対する棚板３の装着並びに装着された棚板３の動作について、図１１〜図１５に示して説明する。なおこれらの図においてブラケット４は支柱６０に装着されている事を想定しているが図示並びに説明の便宜上、これらの図では支柱６０の図示を省略している。
【００４６】
まず、棚板３をブラケット４に装着するにあたり、図１１に示すように第二のスライダ２１の凹溝２１ａをブラケット４の装着案内縁部４８に摺接させるようにする。同図に示すように、第二のスライダ２１の底面２３が装着案内縁部４８のアール端面４９に案内されるため、第二のスライダ２１はブラケット本体４１の下縁側にスムーズにもぐり込むことができる。
【００４７】
続いて図１２に示すように、第二のスライダ２１が後半領域４ｃに近接するようになると、第一のスライダ１１を補助スライダ４３の後方へ載置するように棚板３を動作させる。またここまでの動作中、凹溝１１ａには内側面１４が設けられ側面１６に適宜当接するようにしているため、棚板３のブラケット４に対する左右のずれやがたつきはほとんど生じない。
【００４８】
そして図１３に示すように、第一のスライダ１１の凹溝１１ａを第一の案内縁部１２の前端、すなわち前位置決め部分１７に載置すれば、第一のスライダ１１の前当たり面１１ｃとブラケット本体４１の前当接面４７とが当接し、棚板３は前端位置（Ｆ）をとることになる。当該前端位置（Ｆ）では、使用者は左右のブラケット４の前半部分を下側から側壁３２とともに抱え込むように把持すれば、棚板３とブラケット４を一体的に取り扱うことができる。つまり同図の状態のまま、使用者は左右のブラケット４の支柱６０への着脱を容易に行うことができる。
【００４９】
また棚板３を前端位置（Ｆ）とした状態では図１４に示すように、左右のブラケット４に計四箇所設けられた前後左右の爪受４４に掛爪５２を掛けることで、補助棚板５を容易に装着することができる。
【００５０】
そして左右のブラケット４に補助棚板５を装着した状態であっても、図１５に示すように、棚板３を後端位置（Ｂ）へ容易にスライドさせることができる。後端位置（Ｂ）までのスライド動作において、第一の案内縁部１２には後位置決め部分１８が設けられているので、当該後位置決め部分１８の案内傾斜面１８ａにより、棚板３を後端位置（Ｂ）近傍までスライドさせれば、第一のスライダ１１の凹溝１１ａの底面１３が案内傾斜面１８ａを滑り落ちるように動作するので、棚板３は自ずと後端位置（Ｂ）に位置決めされる。このとき、第二のスライダ２１の後当たり面２１ｄがブラケット本体４１の下側後当接面４５ｂに当接し、第一のスライダ１１の後当たり面１１ｄが上側後当接面４５ａに当接するため、棚板３は後端位置（Ｂ）よりも後方へ移動することはない。また後端位置（Ｂ）では、棚板３の両外側方から抱え込むように棚板３及びブラケット４を把持すれば、把持する前後位置に拘わらず棚板３とブラケット４を一体的に取り扱うことができる。つまり同図の状態のまま、使用者は左右のブラケット４の支柱６０への着脱を容易に行うことができる。
【００５１】
また他方、図１５に示した後端位置（Ｂ）から図１４に示す前端位置（Ｆ）前方へ棚板３をスライドさせるときには、棚板３を前端位置（Ｆ）近傍までスライドさせれば、第一のスライダ１１の凹溝１１ａの底面１３が前位置決め部分１７の案内傾斜面１７ａを滑り落ちるように動作するので、棚板３は自ずと前端位置（Ｆ）に位置決めされる。このとき、第一のスライダ１１の前当たり面１１ｃがブラケット本体４１の前当接面４７に当接するため、棚板３は前端位置（Ｆ）よりも前方へ移動することはない。
【００５２】
また図１３〜図１５に示す態様での棚板３のスライド動作中は、第一のスライダ１１の凹溝１１ａの内側面１４が第一の案内縁部１２の側面１６に、第二のスライダ２１の凹溝２１ａの内側面２４が第二の案内縁部２２の側面２６にそれぞれ近接或いは接した状態が維持されているため、スライド動作中に左右にずれたりがたついたりすることは無い。加えて斯かるスライド動作中は補助スライダ４３は上面側の滑り面４６が常に棚板３の下向面３ｂに摺接した状態となっている。これにより、よりスムーズなスライド動作が実現されている。
【００５３】
そして前端位置（Ｆ）にある棚板３をブラケット４から取り外すときは第一のスライダ１１が補助スライダ４３の上方を乗り越えるように棚板３を持ち上げてやればよい。換言すれば、図１２及び図１１に示した動作の逆を行なえば良い。
【００５４】
以上のような構成とすることにより、本実施形態によれば、棚板３を棚受ブラケットたるブラケット４に対し前後スライドさせる機構を、従来の如く案内レールとローラとを用いずに実現している。その結果斯かる構成を有する従来品に比べて構成の簡略化が実現できており、製造及び組立の工数の削減が図れている。更に斯かる構成により、耐久性も有効に向上し、しかもメンテナンスの手間を削減又は無くすにも寄与している。
【００５５】
加えて本実施形態では、役割の異なる第一のスライダ１１及び第二のスライダ２１を用いて棚板３のスライドを案内しているため、棚板３に作用する種々の荷重を二つのスライダにより分散させている。その結果、例えば単一のスライダを用いて棚板３のスライドを案内する場合に比べて、各スライダを大幅に小さなものとしても耐久性の向上を実現している。すなわち本実施形態によれば、簡素な構成であり且つ耐久性を有効に向上させた什器が実現されている。
【００５６】
特に本実施形態では、棚板３の後縁３ｄ側がブラケット４から浮き上がるのを抑止するための第二のスライド案内機構２を備えているので、上述の通り棚板３の前端部分と左右のブラケット４の前端部を掴めば、棚板３とブラケット４とを一体化したような状態で一体的に取り扱うことが可能となり、棚板３の什器本体６すなわち支柱６０への取り付けや、支柱６０への取付位置の変更を、容易に行うことができる。このように本実施形態によれば、棚板３を連続的にスライドさせる機構を簡素な構成にて実現せしめている。
【００５７】
また、棚板３の載置面３ａの面積をより大きくするために本実施形態では、棚板３を、左右の側壁３２を左右のブラケット４の外側面４ａに近接させるようにしている。
【００５８】
そして、棚板３の動作時の安全性を有効に向上させ得るようにする構成として本実施形態では、第一のスライダ１１及び第二のスライダ２１を、棚板３の側壁３２に設けられたものとし、第一の案内縁部１２及び第二の案内縁部２２をブラケット４に設けている。これにより、第一のスライダ１１及び第二のスライダ２１とブラケット４側との接触部分を隠蔽することができるので安全性が高いものとなっている。
【００５９】
また本実施形態では、第一の案内縁部１２を、ブラケット４の前半領域４ｂにおける上縁側に設け、第二の案内縁部２２を、ブラケット４の後半領域４ｃにおける下縁側に設けているので、棚板３及びブラケット４を一体的に取り扱うときに案内縁部に触れてしまうことを回避でき、安全性がより高まったものとなっている。特に本実施形態では、ブラケット４の重心はフック４２寄りにあるので棚板３とブラケット４を一体的に取り扱うときには棚受ブラケット４の自重によりブラケット４が後方へ脱落し易くなるところ、第二の案内縁部２２を、後半領域４ｃにおける下縁側に設けて当該脱落が起こり難い構成を実現している。
【００６０】
第一のスライド案内機構１、第二のスライド案内機構２により左右のがたつきが無い安定した前後スライドを実現するために本実施形態では、第一のスライダ１１及び第二のスライダ２１に、第一の案内縁部１２及び第二の案内縁部２２に対し外嵌する凹溝１１ａ、２１ａを設け、この凹溝１１ａ、２１ａの底面１３、２３を第一の案内縁部１２及び第二の案内縁部２２の端面に摺接させるようにしている。
【００６１】
また、棚板３を前方に引き出した状態を安定して維持するために本実施形態では、第一の案内縁部１２に、棚板３が前側の動作端に位置した状態で第一のスライダ１１を位置決めする前位置決め部分を設けている。
【００６２】
特に、棚板３を前方に引き出した状態である前端位置（Ｆ）でより多くの物を陳列することや、載置面３ａ上の陳列物の並び替えや入れ替えをより容易に行い得るようにするために本実施形態では、前端位置（Ｆ）にある棚板３の載置面３ａの後方に位置する補助載置面５ａを有した補助棚板５を設けている。
【００６３】
以上、本発明の実施形態について説明したが、各部の具体的な構成は、上述した実施形態のみに限定されるものではなく、本発明の趣旨を逸脱しない範囲で種々変形が可能である。
【００６４】
例えば、上記実施形態では什器が有する全ての棚板が前後スライド可能である態様を開示したが、勿論、一部の棚板のみ上記実施形態の構成により前後スライド可能としたものであってもよい。加えて上記実施形態では棚板に両スライダを設け棚受ブラケットに両案内縁部を設けたが勿論、スライダと案内縁部とを棚板に設け、対応する案内縁部とスライドとを棚受ブラケットに設けたり、棚受ブラケットに両スライダを設け棚板に両案内縁部を設けたりしても良い。また棚板本体を構成する素材を板金素材以外の木製素材や樹脂素材、更には紙素材としたり、棚受ブラケットと什器本体との間の係合構造を既存の異なる構造としたりするといった具体的な態様は上記実施形態のものに限定されることはなく、既存のものを含め、種々の態様のものを適用することができる。
【００６５】
その他、各部の具体的構成についても上記実施形態に限られるものではなく、本発明の趣旨を逸脱しない範囲で種々変形が可能である。
【産業上の利用可能性】
【００６６】
本発明は店舗等に好適に用いられる什器として利用することができる。
【符号の説明】
【００６７】
１…第一のスライド案内機構
１１…第一のスライダ
１１ａ…凹溝
１２…第一の案内縁部
１３…底面
１５…第一の案内縁部の端面（受圧端面）
１７…位置決め部分（前位置決め部分）
２…第二のスライド案内機構
２１…第二のスライダ
２１ａ…凹溝
２２…第二の案内縁部
２３…底面
２５…第二の案内縁部の端面（受圧端面）
３…棚板
３ａ…載置面
３ｃ…前縁
３ｄ…後縁
３２…側壁
４…棚受ブラケット（ブラケット）
４ａ…棚受ブラケットの外側面（外側面）
４ｂ…棚受ブラケットの前半領域（前半領域）
４ｃ…棚受ブラケットの後半領域（後半領域）
５…補助棚板
５ａ…補助載置面
６…什器本体
Ｆ…前側の動作端（前端位置）
【図１】
0006607753.tif 000002
【図２】
0006607753.tif 000003
【図３】
0006607753.tif 000004
【図４】
0006607753.tif 000005
【図５】
0006607753.tif 000006
【図６】
0006607753.tif 000007
【図７】
0006607753.tif 000008
【図８】
0006607753.tif 000009
【図９】
0006607753.tif 000010
【図１０】
0006607753.tif 000011
【図１１】
0006607753.tif 000012
【図１２】
0006607753.tif 000013
【図１３】
0006607753.tif 000014
【図１４】
0006607753.tif 000015
【図１５】
0006607753.tif 000016